(57)【要約】  【課題】  タイトル名やアーティスト名がわからないが、過去に再生したことがある曲を探すことができる電子機器、データ処理方法及びプログラムを提供する。  【解決手段】  ＣＰＵ１４は、カレンダにその日再生した楽曲の数を表示した再生履歴画面ＤＩＳＰ１をＬＣＤパネル１３に表示する。入力デバイス１５を介した操作により、ＣＰＵ１４は、再生履歴画面ＤＩＳＰ１から、ある特定の１日に再生した楽曲のリストを再生履歴リストとして表示する再生履歴画面ＤＩＳＰ２に切り替え、ユーザが選択した楽曲の再生や属性の編集を行う。【選択図】  図１
2007042173.tif 000002
【特許請求の範囲】
【請求項１】
コンテンツデータを再生出力する再生出力手段と、
記憶手段と、
制御手段と
を有し、
前記制御手段は、前記再生出力手段による前記コンテンツデータの再生履歴データを所定の時間区分を単位として管理し、各時間区分の前記再生履歴データを前記記憶手段に記憶し、所定の指示を受けると、当該指示で指定された前記時間区分の前記再生履歴データを前記記憶手段から読み出す
電子機器。
【請求項２】
ディスプレイと、
操作手段と、
を更に有し、
前記制御手段は、ユーザによる前記操作手段の操作に応じた前記所定の指示を受けると、当該指示で指定された前記時間区分の前記再生履歴データを前記記憶手段から読み出して前記ディスプレイに表示する
請求項１に記載の電子機器。
【請求項３】
前記制御手段は、それぞれの日に再生した前記コンテンツデータの数を日付と共に表示するカレンダ画面を前記ディスプレイに表示し、
前記カレンダ画面上で日付が指定されると、当該指定された日付の前記再生履歴データを前記記憶手段から読み出して前記ディスプレイに表示する
請求項２に記載の電子機器。
【請求項４】
前記制御手段は、前記記憶手段から読み出した前記再生履歴データを基にプレイリストデータを生成し、当該プレイリストデータを基に、再生出力するコンテンツデータを前記再生出力手段に指示する
請求項１に記載の電子機器。
【請求項５】
コンテンツデータを記憶する記憶手段と、
前記記憶手段から読み出した前記コンテンツデータを再生出力する再生出力手段と、
操作手段と、
ディスプレイと、
制御手段と
を有し、
前記制御手段は、前記再生出力手段による前記コンテンツデータの再生履歴を示す再生履歴データを生成し、前記再生履歴データを含むレーティング・ブックマーク画面を前記ディスプレイに表示し、前記ディスプレイに表示された前記再生履歴データを基にユーザが前記操作手段を操作して行った前記再生履歴データが示すコンテンツデータに対してのレーティング付与指示、或いはブックマーク付与指示に応じて、それぞれレーティング付与処理、或いはブックマーク付与処理を行う
電子機器。
【請求項６】
インターフェイス
を更に有し、
前記制御手段は、前記インターフェイスを介してコンピュータに、前記再生履歴データ、前記レーティング付与処理によって生成されたレーティング情報、或いは、前記ブックマーク付与処理によって生成されたブックマーク情報を送信する
請求項５に記載の電子機器。
【請求項７】
前記制御手段は、前記ブックマーク付与処理によって生成されたブックマーク情報を基に、新たなプレイリストを作成する
請求項５に記載の電子機器。
【請求項８】
インターフェイスと、
コンテンツデータを記憶する記憶手段と、
前記記憶手段から読み出した前記コンテンツデータを再生出力する再生出力手段と、
操作手段と、
制御手段と
を有し、
前記制御手段は、ユーザによる前記操作手段の操作によって指定された前記コンテンツデータを前記記憶手段から削除する指示を受けると、前記インターフェイスを介してコンピュータに接続された時に、前記指定されたコンテンツデータの削除情報を、前記インターフェイスを介して前記コンピュータに通知する
電子機器。
【請求項９】
コンテンツデータを記憶する記憶手段と、
前記記憶手段から読み出した前記コンテンツデータを再生出力する再生出力手段と、
操作手段と、
制御手段と
を有し、
前記制御手段は、前記再生出力手段による前記コンテンツデータの再生履歴を示す再生履歴データを生成し、ユーザによる前記操作手段の操作によって指定された前記コンテンツデータを前記記憶手段から削除し、ユーザから再生履歴の表示指示を受けると、前記再生履歴データが示すコンテンツデータの属性データを、すでに削除した前記コンテンツデータと削除していない前記コンテンツデータとを区別して表示する
電子機器。
【請求項１０】
コンテンツデータを再生出力する電子機器が行うデータ処理方法であって、
前記コンテンツデータの再生履歴データを所定の時間区分を単位として生成する第１の工程と、
各時間区分の前記再生履歴データを記憶する第２の工程と、
所定の指示を受けると、当該指示で指定された前記時間区分の前記再生履歴データを読み出す第３の工程と
を有するデータ処理方法。
【請求項１１】
コンテンツデータを再生出力する電子機器が行うデータ処理方法であって、
前記コンテンツデータの再生履歴を示す再生履歴データを生成する第４の工程と、
前記第４の工程において生成された前記再生履歴データを含むレーティング／ブックマーク画面を表示する第５の工程と、
前記第４の工程において生成された前記再生履歴データを基にユーザが行った前記再生履歴データが示すコンテンツデータに対してのレーティング付与指示、或いはブックマーク付与指示に応じて、それぞれレーティング付与処理、或いはブックマーク付与処理を行う第６の工程と
を有するデータ処理方法。
【請求項１２】
コンテンツデータを再生出力する電子機器が行うデータ処理方法であって、
ユーザによる操作によって指定された前記コンテンツデータを削除する指示を受けると、コンピュータに接続された時に、前記指定されたコンテンツデータの削除情報を前記コンピュータに通知する第７の工程
を有するデータ処理方法。
【請求項１３】
コンテンツデータを再生出力する電子機器が行うデータ処理方法であって、
前記コンテンツデータの再生履歴データを生成する第８の工程と、
ユーザによる操作によって指定された前記再生履歴中の前記コンテンツデータを削除する第９の工程と、
ユーザから再生履歴の表示指示を受けると、前記第８の工程において生成された前記再生履歴データが示すコンテンツデータの属性データを、既に前記第９の工程において削除された前記コンテンツデータと削除されていない前記コンテンツデータとを区別して表示する第１０の工程と
を有するデータ処理方法。
【請求項１４】
コンテンツデータを再生出力する電子機器が実行するプログラムであって、
前記コンテンツデータの再生履歴データを所定の時間区分を単位として生成する第１の手順と、
各時間区分の前記再生履歴データを記憶する第２の手順と、
所定の指示を受けると、当該指示で指定された前記時間区分の前記再生履歴データを読み出す第３の手順と
を前記電子機器に実行させるプログラム。
【請求項１５】
コンテンツデータを再生出力する電子機器が実行するプログラムであって、
前記コンテンツデータの再生履歴を示す再生履歴データを生成する第４の手順と、
前記第４の手順で生成された前記再生履歴データを含むレーティング／ブックマーク画面を表示する第５の手順と、
前記第４の手順で生成された前記再生履歴データを基にユーザが行った前記再生履歴データが示すコンテンツデータに対してのレーティング付与指示、或いはブックマーク付与指示に応じて、それぞれレーティング付与処理、或いはブックマーク付与処理を行う第６の手順と
を前記電子機器に実行させるプログラム。
【請求項１６】
コンテンツデータを再生出力する電子機器が実行するプログラムであって、
ユーザによる操作によって指定された前記コンテンツデータを削除する指示を受けると、コンピュータに接続された時に、前記指定されたコンテンツデータの削除情報を前記コンピュータに通知する第７の手順
を前記電子機器に実行させるプログラム。
【請求項１７】
コンテンツデータを再生出力する電子機器が実行するプログラムであって、
前記コンテンツデータの再生履歴データを生成する第８の手順と、
ユーザによる操作によって指定された前記再生履歴中の前記コンテンツデータを削除する第９の手順と、
ユーザから再生履歴の表示指示を受けると、前記第８の手順において生成された前記再生履歴データが示すコンテンツデータの属性データを、既に前記第９の手順において削除された前記コンテンツデータと削除されていない前記コンテンツデータとを区別して表示する第１０の手順と
を前記電子機器に実行させるプログラム。
【発明の詳細な説明】
【技術分野】
【０００１】
本発明は、再生履歴を基に再生リストの作成を行う電子機器、データ処理方法及びプログラムに関する。
【背景技術】
【０００２】
近年、記録メディアの大容量化、並びに音楽、動画、静止画等の圧縮技術の発達により、膨大なデータを記憶して持ち運ぶことができる携帯型記憶・再生装置が開発されている。
装置の大容量化により、大量のコンテンツデータを持ち運ぶことができるようになったため、このコンテンツデータの中から好みのコンテンツデータを探し出すことが困難になっており、様々な検索方法が考案されている。
このような方法としては、例えば、コンテンツデータのトラック名、アルバム名、アーティスト名等を、そのイニシャルで検索するものが挙げられる。
【０００３】
【特許文献１】特開２００４−２２９２４１号公報
【発明の開示】
【発明が解決しようとする課題】
【０００４】
しかし、上記のような検索方法を有する携帯型記憶・再生装置では、例えば、大量のコンテンツデータの中から、名前は分からないが過去に再生したことがある曲を探し出すことができないという不利益がある。
また、上記のような検索方法を有する携帯型記憶・再生装置では、例えば、過去に再生したことがある曲の中から、お気に入りの曲或いは削除したい曲を見つけ出すことができないという不利益がある。
更に、従来の携帯型記憶・再生装置では、記憶されているコンテンツデータを削除する際に、多大な負荷がかかり、その負荷の所為で現在再生しているコンテンツが音飛び等したり、稼働時間が短くなる等の不利益がある。
更に、携帯型記憶・再生装置本体でコンテンツの削除を行う場合、既に削除したコンテンツが再生履歴リスト等に残り、どの曲が削除されどの曲が残っているのか判別しにくい、という不利益がある。
【０００５】
本発明は、上述した不利益を解消するために、過去に再生した楽曲のリストを再生履歴リストとして所定の時間区分単位で管理できる電子機器、データ処理方法及びプログラムを提供することを目的とする。
また、本発明は、上述した不利益を解消するために、再生履歴リストを見ながら、ブックマーク、レーティング及び削除の指定を楽曲ごとに行うことができる電子機器、データ処理方法及びプログラムを提供することを目的とする。
また、本発明は、上述した不利益を解消するために、楽曲データの削除処理自体を行わず、削除予定リストを作成し、外部コンピュータと接続した際に外部コンピュータに削除予定リストの削除を実行させる電子機器、データ処理方法及びプログラムを提供することを目的とする。
また、本発明は、上述した不利益を解消するために、楽曲データを削除し、再生履歴リストを表示する際に、その削除した楽曲データを削除されていない楽曲データと区別して表示する電子機器、データ処理方法及びプログラムを提供することを目的とする。
【課題を解決するための手段】
【０００６】
上述した目的を達成するために、第１の観点の発明の電子機器は、コンテンツデータを再生出力する再生出力手段と、記憶手段と、制御手段とを有し、前記制御手段は、前記再生出力手段による前記コンテンツデータの再生履歴データを所定の時間区分を単位として管理し、各時間区分の前記再生履歴データを前記記憶手段に記憶し、所定の指示を受けると、当該指示で指定された前記時間区分の前記再生履歴データを前記記憶手段から読み出す。
【０００７】
好適には、電気電子機器は、ディスプレイと、操作手段と、を更に有し、前記制御手段は、ユーザによる前記操作手段の操作に応じた前記所定の指示を受けると、当該指示で指定された前記時間区分の前記再生履歴データを前記記憶手段から読み出して前記ディスプレイに表示する。
【０００８】
更に好適には、前記制御手段は、それぞれの日に再生した前記コンテンツデータの数を日付と共に表示するカレンダ画面を前記ディスプレイに表示し、前記カレンダ画面上で日付が指定されると、当該指定された日付の前記再生履歴データを前記記憶手段から読み出して前記ディスプレイに表示する。
【０００９】
好適には、前記制御手段は、前記記憶手段から読み出した前記再生履歴データを基にプレイリストデータを生成し、当該プレイリストデータを基に、再生出力するコンテンツデータを前記再生出力手段に指示する。
【００１０】
第２の観点の発明の電子機器は、コンテンツデータを記憶する記憶手段と、前記記憶手段から読み出した前記コンテンツデータを再生出力する再生出力手段と、操作手段と、ディスプレイと、制御手段とを有し、前記制御手段は、前記再生出力手段による前記コンテンツデータの再生履歴を示す再生履歴データを生成し、前記再生履歴データを含むレーティング・ブックマーク画面を前記ディスプレイに表示し、前記ディスプレイに表示された前記再生履歴データを基にユーザが前記操作手段を操作して行った前記再生履歴データが示すコンテンツデータに対してのレーティング付与指示、或いはブックマーク付与指示に応じて、それぞれレーティング付与処理、或いはブックマーク付与処理を行う。
【００１１】
好適には、前記電子機器はインターフェイスを更に有し、前記制御手段は、前記インターフェイスを介してコンピュータに、前記再生履歴データ、前記レーティング付与処理によって生成されたレーティング情報、或いは、前記ブックマーク付与処理によって生成されたブックマーク情報を送信する。
【００１２】
更に好適には、前記制御手段は、前記ブックマーク付与処理によって生成されたブックマーク情報を基に、新たなプレイリストを作成する。
【００１３】
第３の観点の発明の電子機器は、インターフェイスと、コンテンツデータを記憶する記憶手段と、前記記憶手段から読み出した前記コンテンツデータを再生出力する再生出力手段と、操作手段と、制御手段とを有し、前記制御手段は、ユーザによる前記操作手段の操作によって指定された前記コンテンツデータを前記記憶手段から削除する指示を受けると、前記インターフェイスを介してコンピュータに接続された時に、前記指定されたコンテンツデータの削除情報を前記インターフェイスを介して前記コンピュータに通知する。
【００１４】
第４の観点の発明の電子機器は、コンテンツデータを記憶する記憶手段と、前記記憶手段から読み出した前記コンテンツデータを再生出力する再生出力手段と、操作手段と、制御手段とを有し、前記制御手段は、前記再生出力手段による前記コンテンツデータの再生履歴を示す再生履歴データを生成し、ユーザによる前記操作手段の操作によって指定された前記コンテンツデータを前記記憶手段から削除し、ユーザから再生履歴の表示指示を受けると、前記再生履歴データが示すコンテンツデータの属性データを、すでに削除した前記コンテンツデータと削除していない前記コンテンツデータとを区別して表示する。
【００１５】
第５の観点の発明のデータ処理方法は、コンテンツデータを再生出力する電子機器が行うデータ処理方法であって、前記コンテンツデータの再生履歴データを所定の時間区分を単位として生成する第１の工程と、各時間区分の前記再生履歴データを記憶する第２の工程と、所定の指示を受けると、当該指示で指定された前記時間区分の前記再生履歴データを読み出す第３の工程とを有する。
【００１６】
第６の観点の発明のデータ処理方法は、コンテンツデータを再生出力する電子機器が行うデータ処理方法であって、前記コンテンツデータの再生履歴を示す再生履歴データを生成する第４の工程と、前記第４の工程において生成された前記再生履歴データを含むレーティング／ブックマーク画面を表示する第５の工程と、前記第４の工程において生成された前記再生履歴データを基にユーザが行った前記再生履歴データが示すコンテンツデータに対してのレーティング付与指示、或いはブックマーク付与指示に応じて、それぞれレーティング付与処理、或いはブックマーク付与処理を行う第６の工程とを有する。
【００１７】
第７の観点の発明のデータ処理方法は、コンテンツデータを再生出力する電子機器が行うデータ処理方法であって、ユーザによる操作によって指定された前記コンテンツデータを削除する指示を受けると、コンピュータに接続された時に、前記指定されたコンテンツデータの削除情報を前記コンピュータに通知する第７の工程を有する。
【００１８】
第８の観点の発明のデータ処理方法は、コンテンツデータを再生出力する電子機器が行うデータ処理方法であって、前記コンテンツデータの再生履歴データを生成する第８の工程と、ユーザによる操作によって指定された前記再生履歴中の前記コンテンツデータを削除する第９の工程と、ユーザから再生履歴の表示指示を受けると、前記第８の工程において生成された前記再生履歴データが示すコンテンツデータの属性データを、既に前記第９の工程において削除された前記コンテンツデータと削除されていない前記コンテンツデータとを区別して表示する第１０の工程とを有する。
【００１９】
第９の観点の発明のプログラムは、コンテンツデータを再生出力する電子機器が実行するプログラムであって、前記コンテンツデータの再生履歴データを所定の時間区分を単位として生成する第１の手順と、各時間区分の前記再生履歴データを記憶する第２の手順と、所定の指示を受けると、当該指示で指定された前記時間区分の前記再生履歴データを読み出す第３の手順とを前記電子機器に実行させる。
【００２０】
第１０の観点の発明のプログラムは、コンテンツデータを再生出力する電子機器が実行するプログラムであって、前記コンテンツデータの再生履歴を示す再生履歴データを生成する第４の手順と、前記第４の手順で生成された前記再生履歴データを含むレーティング／ブックマーク画面を表示する第５の手順と、前記第４の手順で生成された前記再生履歴データを基にユーザが行った前記再生履歴データが示すコンテンツデータに対してのレーティング付与指示、或いはブックマーク付与指示に応じて、それぞれレーティング付与処理、或いはブックマーク付与処理を行う第６の手順とを前記電子機器に実行させる。
【００２１】
第１１の観点の発明のプログラムは、コンテンツデータを再生出力する電子機器が実行するプログラムであって、ユーザによる操作によって指定された前記コンテンツデータを削除する指示を受けると、コンピュータに接続された時に、前記指定されたコンテンツデータの削除情報を前記コンピュータに通知する第７の手順を前記電子機器に実行させる。
【００２２】
第１２の観点の発明のプログラムは、コンテンツデータを再生出力する電子機器が実行するプログラムであって、前記コンテンツデータの再生履歴データを生成する第８の手順と、ユーザによる操作によって指定された前記再生履歴中の前記コンテンツデータを削除する第９の手順と、ユーザから再生履歴の表示指示を受けると、前記第８の手順において生成された前記再生履歴データが示すコンテンツデータの属性データを、既に前記第９の手順において削除された前記コンテンツデータと削除されていない前記コンテンツデータとを区別して表示する第１０の手順とを前記電子機器に実行させる。
【発明の効果】
【００２３】
本発明によれば、過去に再生した楽曲のリストを再生履歴リストとして所定の時間区分単位で管理できる電子機器、データ処理方法及びプログラムを提供することができる。
また、本発明によれば、再生履歴リストを見ながら、ブックマーク、レーティング及び削除の指定を楽曲ごとに行うことができる電子機器、データ処理方法及びプログラムを提供することができる。
また、本発明によれば、楽曲データの削除処理自体を行わず、削除予定リストを作成し、外部コンピュータと接続した際に外部コンピュータに削除予定リストの削除を実行させる電子機器、データ処理方法及びプログラムを提供することができる。
また、本発明によれば、楽曲データを削除し、再生履歴リストを表示する際に、その削除した楽曲データを削除されていない楽曲データと区別して表示する電子機器、データ処理方法及びプログラムを提供することができる。
【発明を実施するための最良の形態】
【００２４】
＜第１実施形態＞
以下、本発明の第１実施形態の携帯型オーディオプレーヤについて説明する。
本実施形態は、第１、第５及び第９の観点の発明の一例である。
本実施形態の楽曲データは本発明のコンテンツデータの一例であり、本実施形態のオーディオ出力回路１２は本発明の再生出力手段の一例であり、本実施形態のＨＤＤ１８は本発明の記憶手段の一例であり、本実施形態のＣＰＵ１４は本発明の制御手段の一例であり、本実施形態の再生履歴リストは本発明の再生履歴データの一例であり、本実施形態のＬＣＤパネル１３は本発明のディスプレイの一例であり、本実施形態の入力デバイス１５は本発明の操作手段の一例であり、本実施形態の再生履歴画面ＤＩＳＰ１は本発明のカレンダ画面の一例であり、本実施形態のプレイリストデータは本発明のプレイリストデータの一例であり、本実施形態のプログラムＰＲＧは本発明のプログラムの一例である。
また、本実施形態のステップＳＴ１は本発明の第１の工程の一例であり、本実施形態のステップＳＴ２は本発明の第２の工程の一例であり、本実施形態のステップＳＴ３等は本発明の第３の工程の一例である。
【００２５】
図１は、本発明の実施形態に係わる携帯型オーディオプレーヤ１の全体構成図である。
図１に示すように、携帯型オーディオプレーヤ１は、例えば、ヘッドホン端子１１、オーディオ出力回路１２、ＬＣＤパネル１３、ＣＰＵ（Central Processing Unit）１４、入力デバイス１５、ＳＤＲＡＭ（Synchronous Dynamic Random Access Memory）１６、フラッシュメモリ１７、ＨＤＤ（Hard Disk Drive）１８、ＵＳＢ（Universal Serial Bus）インターフェイス１９及び計時回路２０を有し、上述した各構成要素は、例えばデータ線１０を介して接続されている。
【００２６】
オーディオ出力回路１２は、ＣＰＵ１４が復号した楽曲データをオーディオ信号の形で出力し、ヘッドホン端子１１を介して楽曲を再生する。
ＬＣＤパネル１３は、例えば、携帯型オーディオプレーヤ１の筐体の正面に設けられ、ＣＰＵ１４によって様々な画面が表示される。
ＬＣＤパネル１３に表示される主な画面としては、例えば、メニュー画面、曲検索画面、設定画面、再生画面及び再生履歴画面などがあり、ユーザの入力デバイス１５を介した操作によりこれらの画面が切り替わる。
またＬＣＤパネル１３は、例えば、タッチパネルを有し、ユーザが指等によって接触した画面上の位置を検出し、その位置を示す検出位置信号をＣＰＵ１４に出力する。
【００２７】
入力デバイス１５は、図２に示すように、携帯型オーディオプレーヤ１の筐体に設けられ、ユーザによって操作される種々のキーである。
なお、入力デバイス１５は上述したＬＣＤパネル１３のタッチパネルを含む。
図２は、携帯型オーディオプレーヤ１の筐体の側面及び正面の一例を示す図である。
図２（ａ）及び図２（ｃ）は携帯型音楽プレーヤ１の側面の一例を示す図である。
図２（ｂ）は携帯型音楽プレーヤ１の正面の一例を示す図である。
【００２８】
図２（ａ）に示すように、携帯型音楽プレーヤ１の側面にはヘッドホン端子１１とＨＯＬＤキー２２が配設されている。
図２（ｂ）に示すように、携帯型音楽プレーヤ１の正面にはＬＣＤパネル１３、十字キー２７、ＢＡＣＫキー２８、ＶＩＥＷキー２９及びＭＥＮＵキー３０が配設されている。
十字キー２７は、十字上キー２７ａ、十字左キー２７ｂ、十字下キー２７ｃ、十字右キー２７ｄ及びＥＮＴＥＲ（決定）キー２７ｅからなる。
図２（ｃ）に示すように、携帯型音楽プレーヤ１の側面には巻き戻しキー２４、再生・一時停止キー２５、早送りキー２６及び音量調節ダイヤル２３が配設されている。
【００２９】
ＳＤＲＡＭ１６は、ＣＰＵ１４の処理に係わるデータ等を一時的に記憶する。
フラッシュメモリ１７は、例えば、ＣＰＵ１４の動作を規定するプログラムＰＲＧを記憶する。
ＨＤＤ１８は、例えば数ＧＢ〜数十ＧＢの記憶容量を有し、種々の圧縮方法で圧縮された、或いは非圧縮の楽曲データ等のコンテンツデータを記憶する。
当該楽曲データは、ＵＳＢインターフェイス１９を介してパーソナルコンピュータ３からＨＤＤ１８に書き込まれる。
また、ＨＤＤ１８は、ＣＰＵ１４が作成した種々のプレイリストを保存する。
【００３０】
ＵＳＢインターフェイス１９は、パーソナルコンピュータ３と接続され、パーソナルコンピュータ３との間でデータ入出力を行う。ここで入出力を行うデータは、例えば、楽曲データ、楽曲データ以外のコンテンツデータ、後述する再生履歴リスト等である。
【００３１】
計時回路２０は、時計機能を有する回路であり、ＣＰＵ１４に現在時刻等を伝える。ＣＰＵ１４は、計時回路２０の時刻情報を基に、後述する再生履歴リスト等を作成する。
【００３２】
ＣＰＵ１４は、フラッシュメモリ１７から読み出したプログラムＰＲＧに基づき、本実施形態のオーディオプレーヤ１の動作を統括的に制御する。
また、ＣＰＵ１４は、ユーザによって選択された楽曲データを復号し、オーディオ出力回路１２に出力する。
【００３３】
ＣＰＵ１４は、例えば、図３（ａ）のように、ユーザが過去に再生した楽曲の履歴をＬＣＤパネル１３に表示する。
図３は、過去に再生した履歴を表示する画面を示す図である。
図３（ａ）は、カレンダと、それぞれの日に再生した楽曲データの数を表示する再生履歴画面ＤＩＳＰ１と、再生履歴画面ＤＩＳＰ１におけるキー操作を示している。図中の各枠の上側の数字が日付を、下側の数字がその日に再生された楽曲データの数を示している。
図３（ｂ）は、ある特定の１日に再生された楽曲をリスト状に表示する再生履歴画面ＤＩＳＰ２である。図中のＭ＿１〜Ｍ＿１２はその日に再生された楽曲のタイトルを示し、その日に再生された順に並び、再生履歴リストを形成している。
また、ＣＰＵ１４は、再生履歴リストをプレイリストデータとして、ＨＤＤ１８に記憶する。或いは、パーソナルコンピュータ３側の音楽再生アプリケーション上で過去に再生された楽曲をパーソナルコンピュータ３が再生リスト化し、これをプレイリストデータとしてＨＤＤ１８に書き込んでもよい。
ここで、例えば、ＣＰＵ１４は、再生履歴リストをＵＳＢインターフェイス１９を介して外部のパーソナルコンピュータ３に送信し、記憶させたり、パーソナルコンピュータ３を通じて入手した他のユーザの再生履歴リストを、ＵＳＢインターフェイス１９を介して携帯型オーディオプレーヤ１に取り込み、このリストを利用して再生等を行ったりすることも可能である。
【００３４】
次に、各画面におけるキー操作について説明する。
まず、再生履歴画面ＤＩＳＰ１では、十字キー２７ａ〜２７ｄを押すと、ＣＰＵ１４は、カーソル４１を十字キー２７ａ〜２７ｄの対応した各方向に移動させる。ＥＮＴＥＲキー２７ｅを押すと、ＣＰＵ１４は、画面を現在カーソルが合っている日付の再生履歴画面ＤＩＳＰ２へと切り替える。また、ＢＡＣＫキー２８を押すと、ＣＰＵ１４は画面をメニュー画面に切り替える。
【００３５】
再生履歴画面ＤＩＳＰ２では、十字上キー２７ａ及び十字下キー２７ｃを押すと、ＣＰＵ１４はカーソル４２を上下に移動させる。また、十字左キー２７ｂを押すと、ＣＰＵ１４は日付を現在表示されている日の前日に、十字右キーを押すと翌日に移動させ、表示される再生履歴リストも日付に対応したリストに切り替える。ＥＮＴＥＲキーを押すと、ＣＰＵは現在カーソルが合っている楽曲データを再生し、再生中インジケータ４３をカーソル４２上に表示する。また、ＢＡＣＫキーを押すとＣＰＵ１４は現在の再生履歴画面ＤＩＳＰ２から再生履歴画面ＤＩＳＰ１に切り替える。
【００３６】
次に、本実施形態における携帯型オーディオプレーヤ１の動作例を説明する。
図４は、携帯型オーディオプレーヤ１の動作例を示すフローチャートである。
ステップＳＴ１：
ＣＰＵ１４は、再生履歴を基に再生履歴リストを作成する。或いは、パーソナルコンピュータ３側の音楽再生アプリケーション上で過去に再生された楽曲をパーソナルコンピュータ３が再生リスト化し、これをプレイリストデータとしてＨＤＤ１８に書き込む。
ステップＳＴ２：
ＣＰＵ１４は、ステップＳＴ１で作成した再生履歴リストをＨＤＤ１８に記憶させる。
【００３７】
ステップＳＴ３：
ＣＰＵ１４は、ユーザの操作により再生履歴画面ＤＩＳＰ１を表示するか否か判断し、再生履歴画面ＤＩＳＰ１を表示すると判断した時はステップＳＴ４に進む。
ステップＳＴ４：
ＣＰＵ１４は、再生履歴画面ＤＩＳＰ１をＬＣＤパネル１３に表示する。
【００３８】
ステップＳＴ５：
ＣＰＵ１４は、ユーザによる十字キー２７ａ〜２７ｄの操作があった場合はステップＳＴ６に、無かった場合はステップＳＴ７に進む。
ステップＳＴ６：
ＣＰＵ１４は、ステップＳＴ５におけるユーザの十字キー操作に従って、カーソル４１をキー操作に対応した方向に移動させる。
【００３９】
ステップＳＴ７：
ＣＰＵ１４は、ユーザによるＥＮＴＥＲキー２７ｅの操作があった場合はステップＳＴ１０に、無かった場合はステップＳＴ８に進む。
ステップＳＴ８：
ＣＰＵ１４は、ユーザによるＢＡＣＫキー２７ｅの操作があった場合はステップＳＴ９に進み、無かった場合はステップＳＴ５に戻る。
【００４０】
ステップＳＴ９：
ＣＰＵ１４は、ＭＥＮＵ画面を表示し、ステップＳＴ３に戻る。
ステップＳＴ１０：
ＣＰＵ１４は、再生履歴画面ＤＩＳＰ２を表示し、ステップＳＴ１１に進む。
なお、第３実施形態で詳述するように、削除する対象の楽曲は、再生履歴画面ＤＩＳＰ１では例えば、色を変えて表示される。
【００４１】
ステップＳＴ１１：
ＣＰＵ１４は、ユーザによって十字キーの上２７ａ或いは下２７ｃの入力があった場合には、ステップＳＴ１２に、無かった場合にはステップＳＴ１３に進む。
ステップＳＴ１０：
ＣＰＵ１４は、ユーザの十字上下キー操作に従って、カーソル４１を移動させ、ステップＳＴ１１に戻る。
【００４２】
ステップＳＴ１３：
ＣＰＵ１４は、ユーザによって十字キーの左２７ｂ或いは右２７ｄの入力があった場合には、ステップＳＴ１４に、無かった場合にはステップＳＴ１５に進む。
ステップＳＴ１４：
ＣＰＵ１４は、ユーザの十字左右キー操作に従って、表示する再生履歴リストの日付を変化させ、ステップＳＴ１１に戻る。
【００４３】
ステップＳＴ１５：
ＣＰＵ１４は、ユーザによるＥＮＴＥＲキー２７ｅの操作があった場合はステップＳＴ１６に、無かった場合はステップＳＴ１９に進む。
ステップＳＴ１６：
ＣＰＵ１４は、カーソルが合っている楽曲の再生を行い、ステップＳＴ１７に進む。
【００４４】
ステップＳＴ１７：
ＣＰＵ１４は、再生している楽曲の再生が終わったか否かを判断し、終わったと判断した場合はステップＳＴ１８に進み、終わっていないと判断した場合は再生を続ける。
ステップＳＴ１８：
ＣＰＵ１４は、表示されている再生履歴リストの次の曲を再生する。
なお、第３実施形態で詳述するように、削除する対象の楽曲は、再生履歴リストに色を変えて記載はされているが、再生はされず、飛ばしてリストの更に次の曲を再生する。
ステップＳＴ１９：
ＣＰＵ１４は、ユーザによるＢＡＣＫキー２７ｅの操作があった場合はステップＳＴ４に戻り、無かった場合はステップＳＴ１１に戻る。
【００４５】
以上説明したように、本第１実施形態のオーディオプレーヤ１によれば、過去に再生した楽曲の履歴を日単位で管理及び表示することができるので、過去に聞いたことのある楽曲であり且つタイトル名或いはアーティスト名等がわからない場合に、その楽曲を再生履歴リストを基に探し出すことができる。
なお、本第１実施形態では入力をキー操作で行う場合を説明したが、全ての操作はＬＣＤパネル１３のタッチパネルからも行うことができる。
また、本実施形態では再生履歴を日単位で管理することにしたが、それ以外の時間区分、例えば、週・月単位、或いは午前と午後で分けるなどとしてもよい。
また、本実施形態では、再生リスト中に並ぶ楽曲の順番は、過去に再生された順であるとしたが、順番に関しては、例えば、タイトル名でソートしたり、アーティスト名でソートしたりといったように、ユーザが自由に設定できるようにしてもよい。
【００４６】
＜第２実施形態＞
次に、第２の実施形態の携帯型オーディオプレーヤ１ａについて説明する。
本実施形態は第２、第６及び第１０の観点の発明の一例である。
本実施形態のＣＰＵ１４ａは、本発明の制御装置の一例であり、本実施形態のプログラムＰＲＧａは本発明のプログラムの一例である。
また、本実施形態のレーティング／ブックマーク画面ＤＩＳＰ３は本発明のレーティング／ブックマーク画面の一例である。
第２の実施形態の携帯型オーディオプレーヤ１ａによれば、ユーザのお気に入りの楽曲データを過去に再生した楽曲データの中から探すことが簡単にできるようになる。
【００４７】
携帯型オーディオプレーヤ１ａは、ＣＰＵ１４ａ及びフラッシュメモリ１７に記憶されたプログラムＰＲＧａを除いて、第１実施形態の携帯型オーディオプレーヤ１と同じ構成を有する。
携帯型オーディオプレーヤ１ａの有するＣＰＵ１４ａは、フラッシュメモリ１７からプログラムＰＲＧａを読み出し、携帯型オーディオプレーヤ１ａの動作を統括的に制御する。ＣＰＵ１４ａは、例えば、図５のように、レーティング／ブックマーク画面ＤＩＳＰ３をＬＣＤパネル１３に表示する。レーティング／ブックマーク画面ＤＩＳＰ３は、第１実施形態の再生履歴画面ＤＩＳＰ２から、例えばＭＥＮＵボタン３０によるモード切り替え等で切り替わり、再生履歴リストを基にレーティング／ブックマークを行う画面である。
【００４８】
図５は、レーティング／ブックマーク画面ＤＩＳＰ３の一例を示す図である。
レーティング／ブックマーク画面ＤＩＳＰ３は、図５に示すように、ブックマークインジケータ５１、レーティングインジケータ５２、ブックマーク指定ボタン５３、レーティング指定ボタン５４、楽曲リスト５５及び日付インジケータ５６を有する。
【００４９】
ブックマークインジケータ５１は、各枠が右側に表示されているレーティングインジケータ５２及び楽曲リスト５５の対応する部分と関連付けられており、ある特定の枠と対応する楽曲にユーザがブックマークを付けた場合にオンになる（例えば、点灯する、塗り潰される或いはチェックされる）。
レーティングインジケータ５２は、特定の枠と関連付けられた曲に対する、ユーザのレーティング（格付け或いは点数付け）を示している。
【００５０】
ブックマーク指定ボタン５３は、ユーザがタッチすることにより、ブックマークモードに切り替わるボタンである。
ブックマークモードでは、楽曲リスト５５中のブックマークしたい楽曲をタッチすることでブックマーク指定を行うことができる。この際、一度楽曲を選択してもブックマークモードは解除されず、他の楽曲を連続してブックマークすることが可能である。また、例えば、画面の楽曲リスト以外の部分をタッチすることで、ブックマークモードを解除することができる。
【００５１】
レーティング指定ボタン５４は、例えば、０〜９の１０個のボタンからなり、どれかひとつのボタンを押すことで、押したボタンの数字に対応したレーティングモードになる。レーティングモードでは、楽曲リスト５５中のレーティングしたい楽曲にタッチすることで、押したボタンに対応する点数をその楽曲に付けることができる。この際、一度楽曲を選択してもレーティングモードは解除されず、他の楽曲に対し連続して同じ点数を付けることが可能である。
楽曲リスト５５は、第１実施形態の再生履歴リストであり、日付インジケータ５６の示す日付を対応した再生履歴リストである。
日付インジケータ５６は、現在表示されている楽曲リストが対応する日付（再生された日付）を示す。
【００５２】
また、ＣＰＵ１４ａは、ブックマークモードで付いたブックマークを基に、ブックマークした楽曲から構成されるブックマーク楽曲リストを作成し、ＨＤＤ１８に記憶する。
更に、ＣＰＵ１４ａは、レーティングモードで付いたレーティングを基に、例えば、特定の点数以上の楽曲を集めたレーティング楽曲リストを作成し、ＨＤＤ１８に記憶する。
更に、携帯型オーディオプレーヤ１ａは、ＵＳＢインターフェイス１９を介して、ブックマーク及びレーティングした楽曲の情報、ブックマーク楽曲リスト及びレーティング楽曲リストをパーソナルコンピュータ３に送信したり、パーソナルコンピュータ上に記憶されている、例えば他のユーザのブックマーク及びレーティング情報、ブックマーク楽曲リスト及びレーティング楽曲リストを受信したりできる。
或いは、上記の方法以外に、パーソナルコンピュータ３側の音楽再生アプリケーション上でユーザが付けたブックマーク若しくはレーティングを基に、パーソナルコンピュータ３がブックマークリスト、若しくはレーティングリストを作成し、これをプレイリストデータとしてＵＳＢインターフェイス１９を介してＨＤＤ１８に書き込むこともできる。
【００５３】
次に、携帯型オーディオプレーヤ１ａの動作例を示す。
図６は、携帯型オーディオプレーヤ１ａの動作例を示すフローチャートである。
【００５４】
ステップＳＴ２１：
ＣＰＵ１４ａは、再生履歴リストを生成する。或いは、パーソナルコンピュータ３側の音楽再生アプリケーション上で過去に再生された楽曲をパーソナルコンピュータ３が再生リスト化し、これをプレイリストデータとしてＨＤＤ１８に書き込む。
ステップＳＴ２２：
ＣＰＵ１４ａは、ユーザの操作によりレーティング／ブックマーク画面ＤＩＳＰ３を表示するかどうか判断し、表示すると判断した時はステップＳＴ２３に進む。
ステップＳＴ２３：
ＣＰＵ１４ａは、レーティング／ブックマーク画面ＤＩＳＰ３を表示し、ステップＳＴ２４に進む。
【００５５】
ステップＳＴ２４：
ＣＰＵ１４ａは、ユーザがブックマーク指定ボタン５３を押した場合に、ブックマークモードとなり、ステップＳＴ２５に進む。ブックマーク指定ボタン５３が押されていない場合は、ステップＳＴ２６に進む。
ステップＳＴ２５：
ＣＰＵ１４ａは、ＬＣＤパネル１３の有するタッチパネルを介したユーザの操作により、該当する楽曲にブックマークを付けるブックマーク処理を行う。
また、ＣＰＵ１４ａは、ブックマーク処理で付いたブックマークを基に、ブックマークした楽曲から構成されるブックマーク楽曲リストを作成し、ＨＤＤ１８に記憶する。或いは、パーソナルコンピュータ３側の音楽再生アプリケーション上で過去にユーザが付けたブックマークを基に、パーソナルコンピュータ３がブックマーク楽曲リストを作成し、これをＨＤＤ１８に書き込む。
【００５６】
ステップＳＴ２６：
ＣＰＵ１４ａは、ユーザがレーティング指定ボタン５４を押した場合に、レーティングモードとなり、ステップＳＴ２７に進む。レーティング指定ボタン５４が押されていない場合は、ステップＳＴ２８に進む。
ステップＳＴ２７：
ＣＰＵ１４ａは、ＬＣＤパネル１３の有するタッチパネルを介したユーザの操作により、該当する楽曲にレーティングをするレーティング処理を行い、レーティングリストを作成してＨＤＤ１８に記憶する。或いは、パーソナルコンピュータ３側の音楽再生アプリケーション上でユーザが付けたレーティングを基に、パーソナルコンピュータ３がレーティングリストを作成し、これをＨＤＤ１８に書き込む。
【００５７】
ステップＳＴ２８：
ＣＰＵ１４ａは、ユーザの操作により、レーティング／ブックマーク画面ＤＩＳＰ３を終了するか否か判断し、終了すると判断した時はステップＳＴ２２に、終了しないと判断した時はステップＳＴ２４に戻る。
【００５８】
以上説明したように、本第２実施形態のオーディオプレーヤ１ａによれば、過去に再生した楽曲リストを表示させ、その再生履歴リストを閲覧しながら直接ブックマークやレーティング操作をすることができるので、アーティスト名やアルバム名でソートされたリストを見ながらレーティングやブックマークをする際に、対象となる曲がどのような曲だったか分からないといった不利益を解消することができる。
なお、第２実施形態では全ての操作をタッチパネルで行う場合について説明したが、全ての操作は各種キーを利用して行うことができる。
【００５９】
＜第３実施形態＞
本実施形態は、第３、第７及び第１１の観点の発明の一例である。
本実施形態のコンピュータ３は、本発明のコンピュータの一例であり、本実施形態の削除予定リストは、本発明の指定されたコンテンツデータの削除情報の一例である。
次に、第３の実施形態の携帯型オーディオプレーヤ１ｂについて説明する。
本実施形態の携帯型オーディオプレーヤ１ｂによれば、ＨＤＤ１８に記憶された楽曲データの一部又は全体を削除する際に、携帯型オーディオプレーヤ１ｂに負担をかけずに削除することができる。
携帯型オーディオプレーヤ１ｂは、ＣＰＵ１４ｂ及びプログラムＰＲＧｂを除いて、第１実施形態の携帯型オーディオプレーヤ１と同じ構成を有する。
【００６０】
ＣＰＵ１４ｂは、フラッシュメモリ１７からプログラムＰＲＧｂを読み出して携帯型オーディオプレーヤ１ｂの動作を統括的に制御する。
また、ＣＰＵ１４ｂは、例えば、再生履歴画面ＤＩＳＰ２上で、ユーザの操作により削除する曲を決定し、削除予定曲とする。更に、ＣＰＵ１４ｂは、削除予定曲からなるリスト、削除予定リストを作成し、ＨＤＤ１８に記憶する。
削除予定曲の具体的な選択は以下のような方法で行う。例えば、再生履歴画面ＤＩＳＰ２を表示中に、削除モードに入ることにより、何曲でも続けて削除予定曲を決定することができる。削除モードには、例えば、再生履歴画面ＤＩＳＰ２でＭＥＮＵキー３０を押し、その状態でモード選択を行い、入ることができる。
【００６１】
図７は削除モード画面ＤＩＳＰ４の一例を示す図である。
図７に示すように、削除モード画面ＤＩＳＰ４では、楽曲の一覧と、各楽曲に対応した削除予定曲チェックボタン６１が存在する。ユーザは、削除したい楽曲の削除予定曲チェックボタン６１をチェックすることで削除予定曲を決定することができる。
なお、ここでは再生履歴画面ＤＩＳＰ２上で削除予定曲を決定する場合について説明するが、削除予定曲を決定する画面は他の画面、例えば、再生中画面、プレイリスト編集画面、アルバムリスト画面、ジャンル別リスト画面等であってもよい。更に、１曲ずつ削除予定曲を決定するだけでなく、例えば、アルバムごと、ジャンルごと選択してそのアルバム乃至ジャンル全体を削除予定リストに入れることも可能である。
【００６２】
ここで、携帯型オーディオプレーヤ１ｂの動作例を説明する。
図８は、携帯型オーディオプレーヤ１ｂの動作例を示すフローチャートである。
ステップＳＴ３１：
ＣＰＵ１４ｂは、ユーザの操作により削除モードに入るか否か判断し、入ると判断した時はステップＳＴ３２に進む。
ステップＳＴ３２：
ＣＰＵ１４ｂは、ユーザが削除モード画面ＤＩＳＰ４において選択した楽曲データを削除予定曲とし、削除予定曲を選択された順に並べた削除予定リストを作成する。
【００６３】
ステップＳＴ３３：
ＣＰＵ１４ｂは、ユーザの操作により、楽曲を再生する場合はステップＳＴ３４に、それ以外の場合はステップＳＴ３５に進む。
ステップＳＴ３４：
ＣＰＵ１４ｂは、楽曲の再生時には、削除予定曲を再生せずにスキップする。
【００６４】
ステップＳＴ３５：
ＣＰＵ１４ｂは、ＵＳＢインターフェイス１９を介して、パーソナルコンピュータ３と接続された際にはステップＳＴ３６に進み、それ以外の場合はステップＳＴ３３に戻る。
ステップＳＴ３６：
ＣＰＵ１４ｂは、パーソナルコンピュータ３に削除予定リストを送信する。
削除予定リストを受信したパーソナルコンピュータ３は、ＨＤＤ１８にアクセスし、削除予定リストに基づいて削除予定曲をＨＤＤ１８から削除する。これにより、楽曲の削除処理を携帯型オーディオプレーヤ１ｂに負担をかけずに行うことができる。
更に、削除した曲を除いた携帯型オーディオプレーヤ１ｂのプレイリスト、例えば再生履歴リスト等をパーソナルコンピュータ３が再生成し、ＨＤＤ１８に記憶する。
【００６５】
以上説明したように、本実施形態の携帯型オーディオプレーヤ１ｂによれば、処理の負担が大きい楽曲データ削除処理を、パーソナルコンピュータ３が代替処理することで、携帯型オーディオプレーヤ１ｂに負担をかけずに楽曲の処理を行うことができるので、ＣＰＵ１４ｂの負荷が軽減され、例えば、コンテンツ再生中に削除処理を行って音飛びが生じるとか、バッテリの容量を多く消費し結果的に再生できる時間が短くなる等の不利益が解消される。また、携帯型オーディオプレーヤ１ｂの製造時に、ＣＰＵ１４ｂ自体を比較的低速なものにすることができ、製造コストを抑えることができる。更に、楽曲を削除する場合、ＨＤＤ１８に記憶されているプレイリスト、例えば再生履歴リスト等から該当する楽曲を削除する処理をパーソナルコンピュータ側で行うため、携帯型オーディオプレーヤ１ｂのＣＰＵ１４ｂに無駄な負荷をかけず、余分な電力消費を抑え、迅速な削除処理が可能になる。
【００６６】
なお、本実施形態では、パーソナルコンピュータ３とＵＳＢインターフェイス１９を介して削除処理を行っているが、本発明はこれに限定されない。例えば、楽曲データの配信を行うサーバ等と無線ＬＡＮ等の無線通信を介して削除処理を行ってもよい。
【００６７】
＜第４実施形態＞
本実施形態は、第４、第８及び第１２の観点の発明の一例である。
本実施形態のステップＳＴ４１は本発明の第８の工程の一例であり、本実施形態のステップＳＴ４３は本発明の第９の工程の一例であり、本実施形態のステップＳＴ４５は本発明の第１０の工程の一例である。
【００６８】
第４の実施形態の携帯型オーディオプレーヤ１ｃについて説明する。
第４の実施形態の携帯型オーディオプレーヤ１ｃによれば、楽曲データを削除し、すでに削除した楽曲データを、再生履歴リスト中にわかりやすく表示することができる。
携帯型オーディオプレーヤ１ｃは、ＣＰＵ１４ｃとプログラムＰＲＧｃを除いて、第１実施形態の携帯型オーディオプレーヤ１と同じ構成を有する。
【００６９】
ＣＰＵ１４ｃは、フラッシュメモリ１７に記憶されているプログラムＰＲＧｃを読み出して携帯型オーディオプレーヤ１ｃの動作を統括的に制御する。
また、ＣＰＵ１４ｃは、例えば、再生履歴画面ＤＩＳＰ２上で、削除モードに入り、ユーザが選択した楽曲をＨＤＤ１８から削除する。
次に、ＣＰＵ１４ｃは、再生履歴画面を表示する際に、すでに削除されＨＤＤ１８内にデータが存在しないが、再生履歴リスト内に残っている楽曲を、図８に示すように、例えば、色付きで表示する。
図９は、再生履歴画面ＤＩＳＰ２ｃ内の消去済み楽曲データの表示の一例を示す図である。
図９に示すように、削除された楽曲（図８においてはＭ＿６とＭ＿１１）は、例えば白黒反転して表示される。
【００７０】
次に、携帯型オーディオプレーヤ１ｃの動作例について説明する。
図１０は、携帯型オーディオプレーヤ１ｃの動作例を示すフローチャートである。
【００７１】
ステップＳＴ４１：
ＣＰＵ１４ｃは、再生履歴リストを作成する。
ステップＳＴ４２：
ＣＰＵ１４ｃは、ユーザの操作を基に、削除予定リストを作成する。
ステップＳＴ４３：
ＣＰＵ１４ｃは、削除予定リスト内の楽曲データをＨＤＤ１８から削除（消去）する。
【００７２】
ステップＳＴ４４：
ＣＰＵ１４ｃは、ユーザの操作により再生履歴画面を表示すると判断したときはステップ４５に進む。
ステップＳＴ４５：
ＣＰＵ１４ｃは、再生履歴画面においてＨＤＤ１８から消去された曲を、再生履歴画面ＤＩＳＰ２ｃ上に白黒反転して表示する。
なお、ここでは白黒反転して表示しているが、例えば、他の色で表示してもよいし、点滅して表示してもよい。
【００７３】
以上説明したように、本第４実施形態の携帯型オーディオプレーヤ１ｃによれば、削除した楽曲を再生履歴リスト上に一目で分かるように表示することができるので、例えば再生履歴リストを基にプレイリストを編集するとき等に、削除済みの楽曲を誤って選択してしまうという不利益を解消することができる。
【００７４】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
本発明に係わる上記実施形態ではディスプレイとしてＬＣＤパネル１３を使用したが、表示装置として、例えば、有機ＥＬディスプレイ（organic electroluminescence display）パネルを使用してもよい。
【００７５】
なお、本発明に係わる上記実施形態では、パーソナルコンピュータ３とＵＳＢインターフェイス１９を介してデータの通信を行っているが、本発明はこれに限定されない。例えば、楽曲データの配信を行うサーバ等と赤外線通信や無線ＬＡＮ等の無線通信を介してデータ通信を行ってもよい。
【００７６】
また、本発明に係わる上記実施形態では、楽曲データをコンテンツデータの一例として説明したが、本発明はこれに限定されない。コンテンツデータとしては、例えば、動画、静止画、テキストデータ等でもよい。また、再生中画面に表示される項目としては、上述した実施形態で述べたものの他に、例えば、コンテンツデータが映画等の動画データの場合には、タイトル、主演俳優、監督、ジャンル、国、公開年、制作会社、配給会社等でもよい。更に、コンテンツデータが写真等の静止画データの場合には、撮影された日付、サイズ、写真の種類（風景・絵等）、撮影者等であってもよい。更に、コンテンツデータが電子出版等のテキストデータの場合には、タイトル、作者、ジャンル出版社等でもよい。
【００７７】
更に、上述した実施形態では、ＨＤＤ１８に楽曲データすなわちコンテンツデータが記憶されるとしたが、本発明はこれに限定されない。すなわち、フラッシュメモリ等にコンテンツデータを記憶してもよい。
【００７８】
また、上述した実施形態は一例として携帯型オーディオプレーヤについて説明したが、本発明はこれに限定されず、コンテンツデータを記憶し再生を行い、表示機能を有する電子機器ならばどのような機器であってもよい。例えば、ＨＤＤレコーダ、電子書籍端末、ＤＶＤプレーヤ、デジタルカメラ、パーソナルコンピュータ等でもよい。
また、上記では４つの実施形態をそれぞれ独立なものとして説明したが、上述した４つの実施形態で述べた各機能を全て有する電子機器であってもよいし、任意のいくつかを実施形態を組み合わせたものであってもよい。
【図面の簡単な説明】
【００７９】
【図１】図１は、本発明の実施形態に係わる携帯型オーディオプレーヤ１の全体構成図である。
【図２】図２は、携帯型オーディオプレーヤ１の筐体の側面及び正面の一例を示す図である。
【図３】図３は、過去に再生した履歴のリストを表示する画面を示す図である。
【図４】図４は、携帯型オーディオプレーヤ１の動作例を示すフローチャートである。
【図５】図５は、レーティング／ブックマーク画面ＤＩＳＰ３の一例を示す図である。
【図６】図６は、携帯型オーディオプレーヤ１ａの動作例を示すフローチャートである。
【図７】図７は、削除モード画面ＤＩＳＰ４の一例を示す図である。
【図８】図８は、携帯型オーディオプレーヤ１ｂの動作例を示すフローチャートである。
【図９】図９は、再生履歴画面ＤＩＳＰ２ｃ内の消去済み楽曲データの表示の一例を示す図である。
【図１０】図１０は、携帯型オーディオプレーヤ１ｃの動作例を示すフローチャートである。
【符号の説明】
【００８０】
１、１ａ、１ｂ、１ｃ…携帯型音楽プレーヤ、１０…データ線、１１…ヘッドホン端子、１２…オーディオ出力回路、１３…ＬＣＤパネル、１４、１４ａ、１４ｂ、１４ｃ…ＣＰＵ、１５…入力デバイス、１６…ＳＤＲＡＭ、１７…フラッシュメモリ、１８…ＨＤＤ、１９…ＵＳＢインターフェイス、２２…ＨＯＬＤキー、２３…音量調節ダイヤル、２４…早送りキー、２５…再生・一時停止キー、２６…巻き戻しキー、２７…十字キー、２７ａ…十字上キー、２７ｂ…十字左キー、２７ｃ…十字下キー、２７ｄ…十字右キー、２７ｅ…ＥＮＴＥＲキー、２８…ＢＡＣＫキー、２９…ＶＩＥＷキー、３０…ＭＥＮＵキー
【図１】
2007042173.tif 000003
【図２】
2007042173.tif 000004
【図３】
2007042173.tif 000005
【図４】
2007042173.tif 000006
【図５】
2007042173.tif 000007
【図６】
2007042173.tif 000008
【図７】
2007042173.tif 000009
【図８】
2007042173.tif 000010
【図９】
2007042173.tif 000011
【図１０】
2007042173.tif 000012